(57)【要約】【課題】施工後に空間を減少又は増加させることができる建物を得る。【解決手段】建物１０は、支持体２０と支持体２０に支持された屋根２２とを備えた屋根構造物１２と、屋根２２の下方に設けられた観客席１４と、観客席１４と屋根２２とで形成される空間を減少又は増加させる空間可変手段と、を有する。【選択図】図２
2015218484.tif 000002
【特許請求の範囲】
【請求項１】
支持体と該支持体に支持された屋根とを備えた屋根構造物と、
前記屋根の下方に設けられた観客席と、
前記観客席と前記屋根とで形成される空間を減少又は増加させる空間可変手段と、
を有する建物。
【請求項２】
前記空間可変手段は、前記屋根を上下に移動させることによって前記空間を減少又は増加させる上下移動機構である請求項１に記載の建物。
【請求項３】
前記空間可変手段は、前記支持体を横方向に移動させる横方向移動機構であり、
前記観客席の一部を撤去すると共に前記支持体を内側へ向かって横方向に移動することにより前記空間を減少させ、又は、前記支持体を外側へ向かって横方向に移動することにより前記空間を増加させる請求項１に記載の建物。
【請求項４】
前記観客席は、上階及び下階に設けられ、
前記空間可変手段は、下階と上階との間に構築されて前記空間を上下に仕切る仕切部材であり、
前記上階又は下階の前記観客席を撤去すると共に前記仕切部材を構築することにより前記空間を減少させ、又は前記仕切部材を解体することにより前記空間を増加させる請求項１に記載の建物。
【発明の詳細な説明】
【技術分野】
【０００１】
本発明は、建物に関する。
【背景技術】
【０００２】
屋根構造物と観客席とを備えた建物において、特許文献１のように、外周屋根を備えた既存の競技場に対して、この外周屋根の内側に新設の内周屋根を架設する架設方法などが知られている。
【先行技術文献】
【特許文献】
【０００３】
【特許文献１】特開平９−２２８４８２号公報
【発明の概要】
【発明が解決しようとする課題】
【０００４】
ところで、昨今では、オリンピックなどのイベント用に施工された競技場などの建物について、イベントの終了後に建物の規模を縮小させて空調や照明などのコストを低減させる試みがある。この一例として、２０１２年に開催されたロンドンオリンピックのメインスタジアムでは、オリンピック終了後に仮設の観客席を撤去して、日常的に使用する施設へ減築するための改装が行われている。一方、施工後に規模を大きくして観客収容人数を増やすことができる建物についても検討されている。
【０００５】
本発明は、上記の事実を考慮し、施工後に空間を減少又は増加させることができる建物を得ることを目的とする。
【課題を解決するための手段】
【０００６】
請求項１に記載の本発明に係る建物は、支持体と該支持体に支持された屋根とを備えた屋根構造物と、前記屋根の下方に設けられた観客席と、前記観客席と前記屋根とで形成される空間を減少又は増加させる空間可変手段と、を有する。
【０００７】
請求項１に記載の本発明に係る建物によれば、支持体と屋根とを備えた屋根構造物の下方には、観客席が設けられている。また、空間可変手段によって観客席と屋根とで形成された空間を減少又は増加させることができるように構成されている。これにより、例えば、イベントの終了後に空間可変手段によって空間を減少させることで、建物の規模を縮小させて維持コストを低減することができる。
【０００８】
また、空間可変手段によって空間を増加させることで、建物の規模を大きくすることができる。これにより、イベントに備えて観客席と屋根とで形成された空間を増加させることができる。このとき、増加された空間に観客席を新設して観客収容人数を増やすことができる。
【０００９】
請求項２に記載の本発明に係る建物は、請求項１に記載の建物であって、前記空間可変手段は、前記屋根を上下に移動させることによって前記空間を減少又は増加させる上下移動機構である。
【００１０】
請求項２に記載の本発明に係る建物によれば、上下移動機構を用いて屋根を下降（プッシュダウン又はリフトダウン）すれば、観客席と屋根とで形成された空間を減少させることができる。また、上下移動機構を用いて屋根を上昇（プッシュアップ又はリフトアップ）すれば、この空間を増加させることができる。
【００１１】
請求項３に記載の本発明に係る建物は、請求項１に記載の建物であって、前記空間可変手段は、前記支持体を横方向に移動させる横方向移動機構であり、前記観客席の一部を撤去すると共に前記支持体を内側へ向かって横方向に移動することにより前記空間を減少させ、又は、前記支持体を外側へ向かって横方向に移動することにより前記空間を増加させる。
【００１２】
請求項３に記載の本発明に係る建物によれば、観客席の一部を撤去し、横方向移動機構によって支持体を建物の内側へ向かって横方向に移動させれば、観客席と屋根とで形成された空間を減少させることができる。また、横方向移動機構によって支持体を建物の外側へ向かって横方向に移動させれば、空間を増加させることができる。なお、増加した空間に観客席を新設すれば、観客収容人数を増やすことができる。
【００１３】
請求項４に記載の本発明に係る建物は、請求項１に記載の建物であって、前記観客席は、上階及び下階に設けられ、前記空間可変手段は、下階と上階との間に構築されて前記空間を上下に仕切る仕切部材であり、前記上階又は下階の前記観客席を撤去すると共に前記仕切部材を構築することにより前記空間を減少させ、又は前記仕切部材を解体することにより前記空間を増加させる。
【００１４】
請求項４に記載の本発明に係る建物によれば、仕切部材を構築すると共に下階の観客席を撤去すれば、下階の空間を別の用途で使用することができる。また、仕切部材を構築すると共に上階の観客席を撤去すれば、上階の空間を別の用途で使用することができる。さらに、構築した仕切部材を解体すれば、空間を増加させることができる。
【発明の効果】
【００１５】
以上説明したように、本発明に係る建物によれば、施工後に空間を減少又は増加させることができる。
【図面の簡単な説明】
【００１６】
【図１】第１実施形態に係る建物の要部が示された立面図である。
【図２】第１実施形態に係る建物を減築する手順を説明するための図であり、（Ａ）には屋根が降ろされた後の状態が示され、（Ｂ）には建物の一部が撤去された後の状態が示されている。
【図３】第１実施形態に係る建物の変形例の要部が示された立面図である。
【図４】第２実施形態に係る建物の要部が示された立面図である。
【図５】第２実施形態に係る建物を減築する手順を説明するための図であり、（Ａ）には屋根が降ろされた後の状態が示され、（Ｂ）には建物の一部が撤去された後の状態が示されている。
【図６】第２実施形態に係る建物の変形例の要部が示された立面図であり、（Ａ）には座席の一部が撤去された後の状態が示され、（Ｂ）には屋根の外周部分が下方に回動された後の状態が示されている。
【図７】第３実施形態に係る建物の要部が示された平面図であり、（Ａ）には減築される前の状態が示され、（Ｂ）には減築された後の状態が示されている。
【図８】第３実施形態に係る建物を減築する手順を説明するための図であり、（Ａ）には減築される前の状態が示され、（Ｂ）には座席の一部が撤去された後の状態が示され、（Ｃ）には減築された後の状態が示されている。
【図９】第３実施形態に係る建物の変形例の要部が示された立面図であり、（Ａ）には減築される前の状態が示され、（Ｂ）には座席の一部が撤去された後の状態が示され、（Ｃ）には減築された後の状態が示されている。
【図１０】第４実施形態に係る建物の要部が示された平面図であり、（Ａ）には減築される前の状態が示され、（Ｂ）には減築された後の状態が示されている。
【図１１】第５実施形態に係る建物の要部を示す平面図であり、（Ａ）には減築される前の状態が示され、（Ｂ）には一段階減築された後の状態が示され、（Ｃ）には二段階減築された後の状態が示されている。
【図１２】（Ａ）には図１１（Ａ）の状態における立面図が示され、（Ｂ）には図１１（Ｂ）の状態における立面図が示され、（Ｃ）には図１１（Ｃ）の状態における立面図が示されている。
【図１３】第５実施形態に係る建物の変形例の要部が示された平面図であり、（Ａ）には減築される前の状態が示され、（Ｂ）には減築された後の状態が示されている。
【図１４】第６実施形態に係る建物の要部が示された図であり、（Ａ）には減築される前の状態が示され、（Ｂ）には減築された後の状態が示されている。
【図１５】観客席の勾配を変える方法の一例を説明するための要部拡大図であり、（Ａ）には、勾配を変える前の状態が示され、（Ｂ）には、勾配を変えた後の状態が示されている。
【発明を実施するための形態】
【００１７】
以下、図面を参照しながら、本発明に係る建物について説明する。なお、各図において、鉛直方向（上下方向）を矢印Ｚで示し、水平方向における直交する２方向を矢印Ｘ及び矢印Ｙで示す。また、以下の第１実施形態〜第６実施形態では、建物の一例としてのスタジアムに本発明を適用した実施例について説明するが、これに限らず、屋根構造物と観客席とを備えた他の建物に適用してもよい。例えば、アリーナ、コンサートホール、劇場、競馬場などに適用してもよい。
【００１８】
＜第１実施形態＞
図１に示されるように、本実施形態の建物１０は、主として、屋根構造物１２と、観客席１４と、空間可変手段としての上下移動機構１５とを含んで構成されている。また、観客席１４は、一例として、建物１０の内側より外側の方が高くなるように階段状に形成されており、建物１０の中央の競技領域２００に近い前部席１６と、競技領域２００から遠い後部席１８とに分かれている。
【００１９】
なお、本実施形態では、図示しない通路などを挟んで前部席１６と後部席１８とが分かれているが、これに限らず、最前部から最後部まで一体に観客席１４を形成してもよい。この場合は、観客席１４における任意の席より競技領域２００側（内側）を前部席１６と設定し、任意の席より競技領域２００から遠ざかる側（外側）を後部席１８と設定すればよい。また、本実施形態では、競技領域２００を取り囲むように観客席１４を設けているが、これに限らず、競技領域２００に沿った一部の領域のみに観客席１４を設けてもよい。後述する第２実施形態〜第６実施形態についても同様である。
【００２０】
観客席１４より外側、及び上側には、観客席１４を囲むようにして屋根構造物１２が設けられている。屋根構造物１２は、主として、基礎２０２上に構築された支持体２０と、支持体２０に支持された屋根２２とを備えており、この屋根２２の下方に観客席１４が配設されている。
【００２１】
屋根２２は、建物１０の中央に位置する中央屋根部２２Ａと、この中央屋根部２２Ａの外周に沿って複数設けられた上部外周屋根部２２Ｂと、上部外周屋根部２２Ｂの外周側に配設された下部外周屋根部２２Ｃとを含んで構成されており、本実施形態では、一例として、鉄骨で略円弧状に屋根２２が形成されている。ここで、中央屋根部２２Ａの下端部と上部外周屋根部２２Ｂの上端部とは、上下移動機構１５を構成する第１ヒンジ２４によってヒンジ結合されている。
【００２２】
一方、上部外周屋根部２２Ｂの下端部は、上下移動機構１５を構成する第２ヒンジ２６によって下部外周屋根部２２Ｃの上端部とヒンジ結合されており、下部外周屋根部２２Ｃの下端部は、上下移動機構１５を構成する第３ヒンジ２８によって支持体２０とヒンジ接合されている。なお、本実施形態では、屋根２２を鉄骨で形成したが、これに限らず、他の部材で形成してもよく、例えば、鉄筋コンクリートや木材などで形成してもよい。また、これらを組み合わせて形成してもよい。
【００２３】
本実施形態の建物１０は、所謂パンタドーム工法によって施工されている。この工法では、まず、中央屋根部２２Ａ、上部外周屋根部２２Ｂ、及び下部外周屋根部２２Ｃをそれぞれ基礎２０２上、又は基礎２０２に近い位置で地組みする。そして、これらを第１ヒンジ２４、第２ヒンジ２６、及び第３ヒンジ２８でヒンジ結合した後、上下移動機構１５を構成する図示しない油圧ジャッキなどのジャッキ装置を用いて屋根２２をプッシュアップすることにより施工される。
【００２４】
詳細には、第１ヒンジ２４の下方に仮支柱を配設し、この仮支柱の下端部にジャッキ装置を配設する。そして、ジャッキ装置のロッドを伸ばして仮支柱を上昇させ、第１ヒンジ２４を図中矢印Ａで示されるようにプッシュアップする。続いて、仮支柱の長さより上方まで持ち上げた後、この仮支柱の下方に同軸となるように別の仮支柱を継ぎ足して、同様にジャッキ装置によって仮支柱を上昇させる。
【００２５】
以上の作業を繰り返すことによって、上部外周屋根部２２Ｂが第２ヒンジ２６回りに上方へ回動され、中央屋根部２２Ａが持ち上げられる。そして、任意の高さで第１ヒンジ２４、第２ヒンジ２６、第３ヒンジ２８をそれぞれ固定し、さらにテンションリング等の鉄骨リングで周方向に連結することで屋根構造物１２が構築される。この工法によれば、大規模の建物１０を施工する場合であっても、屋根２２を地組みすることができるため、ベント工法と比較して、仮受けベント（支保工）や足場を最小限にして工期の短縮を図ることができる。また、高所の作業量を削減することができる。
【００２６】
なお、本実施形態では、屋根２２をプッシュアップした後に後部席１８を構築したが、これに限らず、先に後部席１８を構築し、この後部席１８上にジャッキ装置を配設して屋根２２をプッシュアップしてもよい。また、プッシュアップ後にジャッキ装置を撤去してもよいし、そのまま残しておいてもよい。さらに、本実施形態では、中央屋根部２２Ａで競技領域２００を完全に覆っているが、これに限らず、中央屋根部２２Ａの一部が開口された構造としてもよい。
【００２７】
（作用並びに効果）
次に、本実施形態に係る建物１０を施工した後、観客席１４と屋根２２とで形成される空間を減少又は増加させる方法について説明しつつ、本実施形態の作用並びに効果について説明する。
【００２８】
初めに、空間を減少させる場合（減築する場合）は、図２（Ａ）に示されるように、観客席１４の後部席１８を撤去する。このとき、予め後部席１８として撤去が容易な座席を用いることにより、撤去の作業をスムーズに行うことができる。この一例として、例えば、前部席１６側を鉄筋コンクリート造とし、後部席１８側を鉄骨造とする方法や、単管を組んで後部席１８を形成する方法などがある。
【００２９】
後部席１８を撤去した後、後部席１８を撤去した位置に支持体３０を構築する。詳細には、第１ヒンジ２４の下方に支持体３０を構築する。ここで、この支持体３０は、支持体２０と同様の構造でもよく、別の構造でもよい。また、支持体３０の高さは、支持体２０と同じ高さとしてもよく、異なる高さで構築してもよい。
【００３０】
続いて、第１ヒンジ２４、第２ヒンジ２６、及び第３ヒンジ２８を解放した上で、図示しないジャッキ装置（上下移動機構１５の一例）を用いて、中央屋根部２２Ａをプッシュダウンさせる。このとき、中央屋根部２２Ａが下降されるに従って、第１ヒンジ２４及び第２ヒンジ２６が折れ曲がり、パンタドーム工法の逆の手順で中央屋根部２２Ａが下降される。そして、第１ヒンジ２４を支持体３０で支持させた後、この第１ヒンジ２４を支持体３０に連結させることで、観客席１４（前部席１６）と屋根２２とで形成された空間を減少させることができる。最後に、第１ヒンジ２４より外周側の上部外周屋根部２２Ｂ、下部外周屋根部２２Ｃ、及び支持体２０を撤去すれば、図２（Ａ）に示されるように、建物１０の減築が完了する。
【００３１】
一方、空間を増加させる場合は、上記の方法と逆の手順で屋根２２をプッシュアップすればよい。このとき、第１ヒンジ２４より外側の部分を撤去せずに残しておけば、中央屋根部２２Ａを再度プッシュアップするだけで、観客席１４と屋根２２とで形成される空間を増加させることができる。そして、増加された空間に後部席１８を設置すれば、イベントに備えて観客収容人数を増やすことができる。
【００３２】
なお、本実施形態では、後部席１８を撤去した位置に、新たに支持体３０を立設したが、これに限らず、予め支持体３０を立設しておいてもよい。この一例として、観客席１４の間に空間を設けておいて支持体３０を立設してもよいし、後部席１８の内部に支持体３０を構築しておいてもよい。さらに、プッシュアップする際に用いた仮支柱を撤去せずに残しておいてもよい。
【００３３】
また、本実施形態では、後部席１８を撤去したが、屋根２２をプッシュダウンする量が小さい場合、すなわち、屋根２２と後部席１８とが干渉しない場合は、後部席１８を撤去しなくもよいし、後部席１８の一部のみを撤去してもよい。
【００３４】
以上のようにして、屋根２２を下降させることにより、気積が減少するので、空調の費用を低減することができる。また、照明のコストなども低減することができる。さらに、周辺の景観や日照条件などを改善する効果も期待できる。これにより、例えば、オリンピックなどのビッグイベント用に建物１０を施工し、イベント終了後に屋根２２を下降して空間を減少させることで、上記のコストを削減することができ、日常的に使用する施設へ減築することができる。
【００３５】
なお、本実施形態では、屋根２２を下降させることによって空間を減少させたが、これに限らず、図３に示される変形例のように屋根２２を下降させずに空間を減少させる方法を適用してもよい。すなわち、図３に示される変形例では、後部席１８を撤去した位置に、図２の支持体３０よりも高さが高い支持体３２を立設している。そして、この支持体３２で第１ヒンジ２４を支持すれば、支持体３２より内側の空間が観客席１４（前部席１６）と屋根２２とで形成された空間となる。これにより、屋根２２を下降させることなく空間を減少させることができる。なお、屋根２２をプッシュアップする際に用いた仮支柱を残しておき、この仮支柱を補強するなどして支持体３２としてもよい。
【００３６】
＜第２実施形態＞
次に、本発明の第２実施形態に係る建物４０について説明する。なお、第１実施形態と同様の構成については同じ符号を付し、適宜説明を省略する。図４に示されるように、本実施形態の建物４０では、屋根構造物４２の屋根４４を構成する中央屋根部４４Ａと外周屋根部４４Ｂとが別体として構築されており、パンタドーム工法ではなく、リフトアップ工法を適用している点で第１実施形態と異なっている。
【００３７】
本実施形態では、観客席１４の外周側に屋根構造物４２を構成する支持体２０が複数立設されている。また、支持体２０上には、外周屋根部４４Ｂがベント工法などによって構築されている。外周屋根部４４Ｂは、観客席１４の一部を覆うように上方且つ内側へ向かって略円弧状又は略直線状に形成されている。また、外周屋根部４４Ｂは、後述する中央屋根部４４Ａよりも剛性が高くなるように形成されている。この一例として、外周屋根部４４Ｂを鉄筋コンクリート造として中央屋根部４４Ａを鉄骨造としてもよいし、外周屋根部４４Ｂを鉄骨造として中央屋根部４４Ａを木造としてもよい。
【００３８】
外周屋根部４４Ｂの間には、中央屋根部４４Ａが架設される。ここで、本実施形態では、中央屋根部４４Ａを基礎２０２上で地組みした後、ケーブルを繋いで揚重機（上下移動機構の一例）で中央屋根部４４Ａを吊り上げて図中矢印で示されるようにリフトアップしている。
【００３９】
そして、中央屋根部４４Ａを外周屋根部４４Ｂの高さまでリフトアップした後、中央屋根部４４Ａの外周端部に設定した連結部４６で外周屋根部４４Ｂと中央屋根部４４Ａとをピン接合等によって固定することで屋根構造物４２が構築される。このとき、固定部にテンションリング等の鉄骨リングを取り付けて中央屋根部４４Ａが広がるのを抑制してもよい。また、外周屋根部４４Ｂと支持体２０との固定部にも同様の鉄骨リングを取り付けてダブルテンションリング構造としてもよい。
【００４０】
なお、本実施形態では、揚重機を用いて中央屋根部４４Ａをリフトアップしたが、これに限らず、第１実施形態と同様に仮支柱を用いて中央屋根部４４Ａをジャッキアップしてもよい。また、本実施形態では、中央屋根部４４Ａより外周屋根部４４Ｂの方が剛性が高くなるように形成したが、これに限らず、中央屋根部４４Ａと外周屋根部４４Ｂの剛性を略同一の剛性としてもよい。
【００４１】
（作用並びに効果）
次に、本実施形態に係る建物４０を施工した後、観客席１４と屋根４４とで形成される空間を減少又は増加させる方法について説明しつつ、本実施形態の作用並びに効果について説明する。
【００４２】
初めに、空間を減少させる場合は、図５（Ａ）に示されるように、観客席１４の後部席１８を撤去して新たな支持体３０を構築する。ここで、支持体３０は、連結部４６の下方に構築する。その後、外周屋根部４４Ｂと中央屋根部４４Ａとの固定状態を解除して、中央屋根部４４Ａをリフトダウンさせて支持体３０に支持させる。そして、中央屋根部４４Ａと支持体３０とを連結させることで、観客席１４（前部席１６）と屋根４４とで形成される空間を減少させることができる。
【００４３】
また、中央屋根部４４Ａを下降させた後、支持体２０及び外周屋根部４４Ｂを撤去することにより、図５（Ｂ）に示されるように、建物４０を減築することができる。一方、空間を増加させる場合は、上記の方法と逆の手順で中央屋根部４４Ａをリフトアップすればよい。このとき、支持体２０及び外周屋根部４４Ｂを残しておけば、中央屋根部４４Ａを再度リフトアップするだけで空間を増加させることができる。その他の作用について第１実施形態と同様である。
【００４４】
なお、本実施形態では、支持体３０を構築して中央屋根部４４Ａを支持させたが、これに限らず、図６に示される変形例のように、支持体３０を構築せずに減築する方法を適用してもよい。この方法では、図６（Ａ）に示されるように、後部席１８を撤去した後、支持体２０と外周屋根部４４Ｂとの固定状態を解除して外周屋根部４４Ｂ及び中央屋根部４４Ａを持ち上げる。このとき、ジャッキ装置を用いてジャッキアップしてもよいし、揚重機などを用いて吊り上げてもよい。
【００４５】
外周屋根部４４Ｂ及び中央屋根部４４Ａを持ち上げた後、外周屋根部４４Ｂと中央屋根部４４Ａとの連結部４６の固定状態を解除し、外周屋根部４４Ｂを連結部４６回りに下方へ回動させる。そして、外周屋根部４４Ｂの一端部を基礎２０２に固定すれば、外周屋根部４４Ｂを支持体として機能させることができる。この方法によれば、支持体３０を新たに構築する必要がない。また、本実施形態では、中央屋根部４４Ａを支持するために外周屋根部４４Ｂの剛性を中央屋根部４４Ａより高くしているので、支持体としての剛性を満足しており、この外周屋根部４４Ｂを撤去せずに有効利用すれば、無駄のない減築を行うことができる。
【００４６】
＜第３実施形態＞
次に、本発明の第３実施形態に係る建物５０について説明する。図８（Ａ）に示されるように、本実施形態の建物５０は、主として、屋根構造物５２と、観客席１４と、横方向移動機構としてのローラ５８とを含んで構成されている。また、観客席１４は、一例として、建物５０の内側より外側の方が高くなるように階段状に形成されており、建物５０の中央の競技領域２００に近い前部席１６と、競技領域２００から遠い後部席１８とに分かれている。また、図７（Ａ）に示されるように、建物５０は、平面視で略矩形状に形成されており、観客席１４は、競技領域２００を挟んで対向配置されている。ここで、観客席１４は、それぞれＹ方向に間隔を開けて４つのブロックに分かれているが、観客席１４の配置は特に限定せず、配置やブロック数を変更してもよい。
【００４７】
図８（Ａ）に示されるように、観客席１４の外側、及び上側には、屋根構造物５２が設けられている。屋根構造物５２は、主として、基礎２０２上に構築された支持体５６と、支持体５６に支持された屋根５４とを備えており、この屋根５４の下方に観客席１４が配設されている。
【００４８】
屋根５４は、妻側から見て断面略山型状に形成されており、水平に配置された頂部５４Ａと、この頂部５４Ａの両側から外側へ向かって斜め下方へ傾斜された傾斜部５４Ｂとを含んで構成されている。
【００４９】
ここで、傾斜部５４Ｂの下端部は、支持体５６によって支持されている。支持体５６は、図７（Ａ）に示されるように、互いに対向するように一対設けられており、平面視で略コの字状（略Ｕ字状）に形成されている。また、図８（Ａ）に示されるように、支持体５６の上部は、内側へ向かって斜め上方へ屈曲された上部屈曲部５６Ａとされており、この上部屈曲部５６Ａの傾斜角度が傾斜部５４Ｂの傾斜角度と略同一の角度に形成されて傾斜部５４Ｂを支持している。なお、上部屈曲部５６Ａと傾斜部５４Ｂとの間には、図示しない滑り支承又は転がり支承が介在されており、上部屈曲部５６Ａと傾斜部５４Ｂとが相互にスライド可能に構成されている。また、普段はスライドしないように上部屈曲部５６Ａと傾斜部５４Ｂとが固定されている。
【００５０】
ここで、支持体５６の下部には、内側へ屈曲された下部屈曲部５６Ｂが設けられており、この下部屈曲部５６Ｂの下面には、複数のローラ５８が取り付けられている。図７（Ａ）に示されるように、下部屈曲部５６Ｂは、隣り合う観客席１４の間に配設されており、本実施形態では、一例として、Ｙ方向に沿って５つの下部屈曲部５６Ｂが設けられている。また、図８（Ａ）に示されるように、ローラ５８は、基礎２００に形成された凹部２０２Ａに入り込んでおり、移動範囲が制限されている。また、普段は支持体５６が移動しないように図示しない固定手段で固定されている。
【００５１】
（作用並びに効果）
次に、本実施形態に係る建物５０を施工した後、観客席１４と屋根５４とで形成される空間を減少又は増加させる方法について説明しつつ、本実施形態の作用並びに効果について説明する。
【００５２】
初めに、図８（Ａ）の状態から後部席１８を撤去して図８（Ｂ）の状態とする。次に、ローラ５８を固定している場合は、固定状態を解除し、傾斜部５４Ｂと上部屈曲部５６Ａとの固定状態も解除する。そして、図８（Ｃ）に示されるように、両側の支持体５６を建物５０の内側へ向かって横方向に移動させる。これにより、屋根５４と観客席１４（前部席１６）とで形成される空間を減少させることができる。ここで、傾斜部５４Ｂの下端部を取外し可能な構成としている場合は、支持体５６より外側へ出っ張った傾斜部５４Ｂの下端部を撤去してもよい。
【００５３】
本実施形態によれば、屋根５４に傾斜部５４Ｂを設けていたため、支持体５６が内側へ移動するにつれ、屋根を下方へ移動させることができ、効率よく空間を減少させることができる。一方、この状態から支持体５６を建物５０の外側へ向かって横方向に移動させれば、空間を増加させることができる。なお、増加した空間に後部席１８を再度設置して観客収容人数を増やしてもよい。
【００５４】
なお、本実施形態では、横方向移動機構として、ローラ５８を設けたが、これに限らず、リニアスライダ等の滑り支承としてもよい。この場合、基礎２００の凹部２０２Ａにリニアレールを配設し、支持体５６の下部屈曲部５６Ｂの下面に、リニアレールと係合するリニアブロックを取り付けることで、本実施形態と同様に支持体５６を横方向に移動させることができる。
【００５５】
また、本実施形態では、支持体５６を移動する場合を除いてローラ５８を固定していたが、これに限らず、ローラ５８の固定状態を解除しておいてもよい。この場合、ローラ５８を転がり免震支承として機能させることで、免震化を図ることができる。また、ローラ５８を固定した状態で、屋根５４と支持体５６との間に介在された滑り支承又は転がり支承を機能させて屋根免震構造としてもよい。
【００５６】
さらに、本実施形態では、屋根５４を断面略山形状に形成したが、これに限らず、傾斜部５４Ｂの無い平板状に屋根を形成してもよい。この場合、支持体５６を横方向に移動させても屋根５４の高さが変わらないため、一定の高さを必要とする競技を行う場合においては有効である。また、一方の支持体５６だけを移動させても屋根５４が傾きにくいので、支持体５６を同時に移動させず済む。なお、図８で示された断面山型状の屋根５４の場合は、揚重機などを用いて屋根５４を一旦引き揚げ、支持体５６を横方向に移動させた後に屋根５４を降ろす方法を適用すれば、一対の支持体５６を同時に移動させずに済む。
【００５７】
また、本実施形態では、後部席１８を撤去して支持体５６を移動させたが、これに限らうず、図９の変形例のように、前部席１６を撤去してもよい。この方法では、図９（Ａ）に示される状態から、前部席１６を撤去して、図９（Ｂ）の状態とする。次に、ローラ５８を固定している場合は、固定状態を解除し、傾斜部５４Ｂと上部屈曲部５６Ａとの固定状態も解除する。そして、両側の支持体５６を建物５０の内側へ向かって横方向に移動させる。このとき、後部席１８も一緒に横方向に移動させることで、図９（Ｃ）に示されるように、屋根５４と観客席１４（後部席１８）とで形成される空間を減少させることができる。
【００５８】
なお、本実施形態の構成（後部席１８を撤去する構成）と、上記の変形例の構成（前部席１６を撤去する構成）とを組み合わせてもよい。この場合、競技領域２００を挟んで一方側では後部席１８を撤去し、他方側では前部席１６を撤去すればよい。
【００５９】
＜第４実施形態＞
次に、本発明の第４実施形態に係る建物６０について説明する。図１０に示されるように、本実施形態の建物６０は、平面視で略円形に形成されている点で、第３実施形態と異なる。
【００６０】
図１０に示されるように、本実施形態では、競技領域２００を取り囲むようにして観客席１４が設けられている。観客席１４は、中央の競技領域２００に近い前部席１６と、競技領域２００から遠い後部席１８とに分かれている。また、本実施形態では、観客席１４は、競技領域２００に沿って１４のブロックに分けられている。
【００６１】
ここで、隣り合う後部席１８の間には、横方向移動機構としての移動フレーム６２が配設されている。移動フレーム６２はそれぞれ、独立して配設されており、上下方向に延びて図示しない屋根を支持している。ここで、第３実施形態と同様に、移動フレーム６２の下部には、内側へ屈曲された下部屈曲部６２Ａが設けられており、この下部屈曲部６２Ａの下面には、図示しない複数のローラが取り付けられている。
【００６２】
（作用並びに効果）
次に本実施形態の作用並びに効果について説明する。本実施形態によれば、図１０（Ａ）の状態から後部席１８を撤去し、移動フレーム６２を図中矢印で示すように内側へ移動させることにより、図１０（Ｂ）の状態となる。このようにして、観客席１４（前部席１６）と屋根とで形成された空間を減少させることができる。特に、本実施形態のような移動フレーム６２を用いることで、第３実施形態で説明した平面視略矩形状の建物５０に限定されず、本実施形態のような平面視略円形状の建物６０やドーム状の建物についても空間を減少することができる。また、平面視で略六角形状や略八角形状など多角形状の建物についても適用することができる。
【００６３】
一方、空間を増加する場合は、図１０（Ｂ）の状態から移動フレーム６２を外側へ移動させればよい。また、後部席１８を設置すれば、収容観客人数を増やすことができる。なお、横方向移動機構として、ローラの代わりにリニアスライダ等の滑り支承を適用してもよい。
【００６４】
＜第５実施形態＞
次に、本発明の第５実施形態に係る建物７０について説明する。図１２（Ａ）に示されるように、本実施形態の建物７０は、主として、屋根構造物７２と、観客席１４と、横方向移動機構としてのローラ８８を含んで構成されている。また、観客席１４は、一例として、建物７０の内側より外側の方が高くなるように階段状に形成されており、建物７０の中央の競技領域２００に近い前部席１６と、競技領域２００から遠い後部席１８とに分かれている。
【００６５】
ここで、図１１（Ａ）に示されるように、本実施形態の屋根構造物７２は、平面視で菱形の両端部の角を落としたような形状に形成されており、複数のフレームによって構成されている。詳細には、建物７０の中央には、第１フレーム７４が配設されており、この第１フレーム７４の一端側（図中右側）には、第２フレーム７６、第３フレーム７８、第４フレーム８０が順に連結されている。また、第１フレーム７４の他端側（図中左側）には、第５フレーム８２、第６フレーム８４、第７フレーム８６が順に連結されており、合計７つのフレームによって屋根構造物７２が構成されている。
【００６６】
また、第２フレーム７６〜第７フレーム８６は、平面視で略台形状に形成されており、第２フレーム７６と第５フレーム８２は、第１フレーム７４を挟んで対称に形成されている。同様にして、第３フレーム７８と第６フレーム８４は、第１フレーム７４を挟んで対称に形成されており、第４フレーム８０と第７フレーム８６についても、第１フレーム７４を挟んで対称に形成されている。
【００６７】
さらに、図１２（Ａ）に示されるように、第１フレーム７４は、第１支持体７４Ｂと、第１支持体７４Ｂに支持された第１屋根７４Ａとを備えており、第１屋根７４Ａは、立面視で略山形状に形成されている。また、第２フレーム７６は、第２支持体７６Ｂと、第２支持体７６Ｂに支持された第２屋根７６Ａとを備えている。ここで、第２支持体７６Ｂは、第１支持体７４Ｂの一端部に連結されており、第２屋根７６Ａは、第１屋根７４Ａと連続するように内側から外側へ向かって下方に傾斜されている。
【００６８】
第３フレーム７８は、第３支持体７８Ｂと、第３支持体７８Ｂに支持された第３屋根７８Ａとを備えており、第３支持体７８Ｂは、第２支持体７６Ｂの一端部に連結されている。また、第３屋根７８Ａは、第１屋根７４Ａ及び第２屋根７６Ａと連続するように内側から外側へ向かって下方に傾斜されている。さらに、第３支持体７８Ｂの一端部には、第４フレーム８０の第４支持体８０Ｂが連結されており、この第４支持体８０Ｂには第３屋根７８Ａと連続するように傾斜された第４屋根８０Ａが支持されている。
【００６９】
一方、これと同様にして、第１支持体７４Ｂの他端側には、第５支持体８２Ｂ、第６支持体８４Ｂ、第７支持体８６Ｂが順に連結されており、第１屋根７４Ａの他端側には、第５屋根８２Ａ、第６屋根８４Ａ、第７屋根８６Ａが第１屋根７４Ａと連続するように内側から外側へ向かって下方に傾斜されている。なお、支持体及び屋根の材質は特に限定せず、例えば、支持体及び屋根を鉄骨造としてもよく、支持体を鉄筋コンクリート造として屋根を鉄骨造としてもよい。
【００７０】
また、第１フレーム７４は、基礎２０２上に立設されて移動不能とされており、第２フレーム７６〜第７フレーム８６については、下部にローラ８８が設けられて横方向（略水平方向）に移動可能に構成されている。なお、本実施形態では、横方向移動機構としてローラ８８を適用したが、これに限らず、リニアスライダ等の滑り支承を適用してもよい。
【００７１】
ここで、観客席１４は、第４フレーム８０の内部の最外部分、及び第７フレーム８６の内部の最外部分にそれぞれ構築されているが、これに限らず、観客席１４の配置は自由に設定してもよく、例えば、中央の競技領域を囲むように観客席１４を構築してもよい。この場合、第１フレーム７４〜第７フレーム８６の全てのフレームに観客席１４が構築されることとなる。
【００７２】
（作用並びに効果）
次に、本実施形態に係る建物７０を施工した後、観客席１４と屋根７４Ａ〜８６Ａとで形成される空間を減少又は増加させる方法について説明しつつ、本実施形態の作用並びに効果について説明する。なお、以下の説明では、空間を多段階的に減少させる方法について説明するが、これに限らず、一気に空間を減少させてもよい。
【００７３】
初めに、図１１（Ａ）及び図１２（Ａ）の状態において、ローラ８８を固定している場合は、固定状態を解除する。また、第１フレーム７４と第２フレーム７６との連結状態を解除し、第１フレーム７４と第５フレーム８２との連結状態についても解除する。その後、第２フレーム７６、第３フレーム７８、及び第４フレーム８０を図１１（Ａ）の矢印で示される方向（内側）に向かって横方向に移動させる。また、これと同様にして、第５フレーム８２、第６フレーム８４、及び第７フレーム８６を図１１（Ａ）の矢印で示される方向（内側）へ向かって横方向に移動させる。これにより、図１１（Ｂ）及び図１２（Ｂ）で示されるように、第２フレーム７６と第５フレーム８２が第１フレーム７４の内側に入り込む。そして、第２フレーム７６と第５フレーム８２とを突き合わせて連結することにより、空間を一段階減少させることができる。このとき、競技領域を確保できない場合は、前部席１６を撤去してもよく、競技領域を確保できる場合は、前部席１６を撤去しなくてもよい。
【００７４】
次に、図１１（Ｂ）及び図１２（Ｂ）の状態から、さらに空間を減少させる場合は、まず、第２フレーム７６と第３フレーム７８との連結状態を解除し、第５フレーム８２と第６フレーム８４との連結状態についても解除する。その後、第３フレーム７８と第４フレーム８０を図１１（Ｂ）の矢印で示される方向（内側）に向かって横方向に移動させる。また、これと同様にして、第６フレーム８４と第７フレーム８６を図１１（Ｂ）の矢印で示される方向（内側）へ向かって横方向に移動させる。これにより、図１１（Ｃ）及び図１２（Ｃ）で示されるように、第３フレーム７８が第２フレーム７６の内側に入り込み、第６フレーム８４が第５フレーム８２の内側に入り込む。そして、第３フレーム７８と第６フレーム８４とを突き合わせて連結することにより、空間をさらに減少させることができる。なお、本実施形態では、横移動させる前に、第４フレーム８０内の前部席１６と第７フレーム８６内の前部席１６を撤去して競技領域を確保したが、これに限らず、競技領域を確保できる場合は、前部席１６を撤去しなくてもよい。また、競技領域を囲むように観客席１４を構築している場合は、フレームを移動する前に一部の観客席１４を撤去すればよい。
【００７５】
以上のようにして、フレームを横方向に移動させることで、建物７０の長さ、幅、高さの３方向を同時に縮めて空間を減少させることができる。また、減築後の建物７０では、第１フレーム７４の内側に第２フレーム７６、第３フレーム７８、第５フレーム８２、及び第６フレーム８４が入り込んでいるため、この建物７０の中央部分で地震力を負担する構造とすれば、耐震性を向上させることができる。さらに、場合に応じて第４フレーム８０及び第７フレーム８６だけを外側へ移動させれば、建物７０の屋根を開閉させることができる。
【００７６】
なお、本実施形態では、第１フレーム７４の内側に他のフレームを入り込ませて空間を減少させたが、これに限らず、一部のフレームを撤去してもよい。すなわち、図１２（Ａ）の状態において、第１フレーム７４を撤去した後、第２フレーム７６と第５フレーム８２とをそれぞれ移動させて連結してもよい。さらにこの状態から、第２フレーム７６と第５フレーム８２を撤去して、第３フレーム７８と第６フレーム８４とをそれぞれ移動させて連結することで空間を減少させてもよい。
【００７７】
また、建物７０は、本実施形態の形状とは異なる形状としてもよく、例えば、平面視で略矩形状の建物としてもよい。この場合、各フレームの幅を若干異なる形状に形成すれば、横方向に移動させる際にフレーム同士が干渉しないようにできる。
【００７８】
さらに、本実施形態では、第１フレーム７４の内側に他のフレームを完全に入り込ませていたが、これに限らず、図１３に示される変形例のように、フレームの一部だけを入り込ませてもよい。図１３（Ａ）に示されるように、変形例の建物９０は、屋根構造物９２と、図示しない観客席とを備えており、平面視で略矩形状に形成されている。
【００７９】
また、建物９０は、複数のフレームによって構成されている。詳細には、建物９０の中央には、第１フレーム９４が配設されており、この第１フレーム９４の一端側（図中右側）には、第２フレーム９６、第３フレーム９８が順に連結されている。また、第１フレーム９４の他端側（図中左側）には、第４フレーム１００、第５フレーム１０２が順に連結されており、合計５つのフレームによって屋根構造物９２が構成されている。
【００８０】
ここで、第１フレーム９４、第３フレーム９８、及び第５フレーム１０２は、平面視で略同一の大きさに形成されており、第２フレーム９６と第４フレーム１００は、上記３つのフレームよりＹ方向の幅寸法が小さく形成されている。また、第３フレーム９８と第５フレーム１０２には、図示しないローラなどの横方向移動機構が設けられており、Ｘ方向に沿って横方向に移動可能に構成されている。
【００８１】
以上のように構成された変形例に係る建物９０では、第３フレーム９８、及び第５フレーム１０２を図１３（Ｂ）の矢印で示される方向（内側）へ向かって横方向に移動させると、第２フレーム９６が第３フレーム９８の内側に入り込み、第４フレーム１００が第５フレーム１０２の内側に入り込む。これによって、空間を減少させることができる。ここで、第３フレーム９８及び第５フレーム１０２を内側へ移動させた移動量に応じて空間を減少させることができるため、例えば、図１３（Ｂ）で示された位置で第３フレーム９８及び第５フレーム１０２の移動を停止してローラを固定してもよく、第３フレーム９８だけをさらに内側へ移動させてもよい。このようにして、気積を無段階に調整することができる。なお、競技領域を確保できない場合は、観客席の一部を撤去してもよい。
【００８２】
また、本変形例では、５つのフレームで建物９０を構成したが、これに限らず、さらに多くのフレームで建物を構成してもよいし、４つ以下のフレームで建物を構成してもよい。また、本変形例では、第３フレーム９８と第５フレーム１０２の２つのフレームのみを横方向に移動可能に構成したが、これに限らず、第２フレーム９６と第４フレーム１００についても横方向に移動可能に構成してもよい。
【００８３】
＜第６実施形態＞
次に、本発明の第６実施形態に係る建物１１０について説明する。図１４（Ａ）に示されるように、本実施形態に係る建物１１０は、主として、屋根構造物１１２と、観客席１３０と、を含んで構成されている。
【００８４】
屋根構造物１１２は、基礎２０２上に構築された支持体１１６と、この支持体１１６に支持された屋根１１４とを備えており、中央には、競技領域２００が設けられている。また、競技領域２００の周りには、この競技領域２００に沿って観客席１３０が設けられている。ここで、観客席１３０は、１階（下階）に設けられた１階席１２０と２階（上階）に設けられた２階席１１８とに分かれており、２階席１１８は、支持体１１６から張り出した支持梁１２２上に構築されている。
【００８５】
（作用並びに効果）
次に、本実施形態に係る建物１１０を施工した後、観客席１３０と屋根１１４とで形成される空間を減少又は増加させる方法について説明しつつ、本実施形態の作用並びに効果について説明する。
【００８６】
初めに、図１４（Ｂ）に示されるように、１階席１２０を撤去する。そして、１階（下階）と２階（上階）との間に仕切部材としての仕切床１２４を架設して空間を仕切ることによって、観客席１３０と屋根１１４とで形成される空間を減少させることができる。なお、仕切床１２４を構築した後に、１階席１２０を撤去してもよく、同時に作業してもよい。
【００８７】
本実施形態の建物１１０によれば、１階の空間を別の用途で使用することができる。例えば、１階の空間をさらに間仕切り壁１２６、１２８によって区画し、スポーツジムや武道場などとして利用することで建物１１０の稼働率の向上を図ることができる。また、比較的規模が大きいイベントでは、２階の空間を利用し、１階を控室や練習場として利用してもよい。
【００８８】
さらに、２階の空間だけでは観客を収容できないビッグイベント時には、仕切床１２４を解体して空間を増加させることもできる。このとき、必要に応じて１階席１２０を構築したり、１階を立見席に設定してもよい。
【００８９】
なお、本実施形態では、２階建ての建物１１０としたが、これに限らず、３階以上の建物に本発明を適用してもよい。また、本実施形態では、１階席１２０を撤去したが、逆に２階席１１８を撤去して１階が競技領域２００となるようにしてもよい。さらに、本実施形態では、競技領域２００を取り囲むように観客席１３０を構築したが、これに限らず、競技領域２００に沿った一部の領域にのみ観客席１３０を構築してもよい。
【００９０】
さらに、本実施形態では、１階席１２０と２階席１１８の勾配を略同一の勾配に設定したが、これに限らず、２階席１１８の勾配を１階席１２０の勾配より急勾配としてもよい。この場合、１階で行われている競技を２階席１１８から見やすくすることができる。
【００９１】
一方、２階席１１８の勾配を急勾配とした場合は、仕切床１２４を架設して１階と２階を仕切った後に、２階席１１８の勾配が緩やかになるように調整するのが好ましい。この調整方法の一例として図１５に示されるような方法を適用してもよい。すなわち、図１５に示される例では、２階席１４０の下部が引出可能に構成されている。詳細には、２階席１４０の下部は、階段状に形成された椅子１４２の設置部がそれぞれスライド可能に構成されており、図１５（Ａ）に示されるように、勾配を変える前の状態では、ラップ長Ｌだけオーバーラップするように構成されている。また、通常はスライド不能にロックされている。
【００９２】
以上のように構成された２階席１４０の勾配を変更する場合は、スライドのロック状態を解除して、椅子１４２の設置部を図１５（Ｂ）の矢印の方向へ引き出す。これにより、椅子１４２の設置部がそれぞれスライドされ、ラップ長が短くなる。そして、引き出した状態でロックすれば、２階席１４０の勾配を緩やかにすることができる。また、ロック状態を解除して２階席１４０の下部を元の位置へスライドさせれば、２階席１４０の勾配を戻すことができる。
【００９３】
なお、本実施形態では、２階席１４０の下部のみがスライド可能に構成されていたが、これに限らず、２階席１４０の全体をスライド可能に構成してもよい。また、２階席１４０の下部を引き出して勾配を変化できる構成であれば、他の構成を採用してもよい。
【００９４】
以上、本発明の第１実施形態〜第６実施形態について説明したが、本発明はこうした実施形態に限定されるものでなく、実施形態及び各種の変形例を適宜組み合わせて用いても良いし、本発明の要旨を逸脱しない範囲において、種々なる態様で実施し得ることは勿論である。
【符号の説明】
【００９５】
１０      建物
１２      屋根構造物
１４      観客席
１５      上下移動機構
２０      支持体
２２      屋根
２４      第１ヒンジ（上下移動機構、空間可変手段）
２６      第２ヒンジ（上下移動機構、空間可変手段）
２８      第３ヒンジ（上下移動機構、空間可変手段）
３０      支持体
３２      支持体
４０      建物
４２      屋根構造物
４４      屋根
５０      建物
５２      屋根構造物
５４      屋根
５６      支持体
５８      ローラ（横方向移動機構、空間可変手段）
６０      建物
６２      移動フレーム（横方向移動機構、空間可変手段）
７０      建物
７２      屋根構造物
７４Ａ    第１屋根（屋根）
７４Ｂ    第１支持体（支持体）
７６Ａ    第２屋根（屋根）
７６Ｂ    第２支持体（支持体）
７８Ａ    第３屋根（屋根）
７８Ｂ    第３支持体（支持体）
８０Ａ    第４屋根（屋根）
８０Ｂ    第４支持体（支持体）
８２Ａ    第５屋根（屋根）
８２Ｂ    第５支持体（支持体）
８４Ａ    第６屋根（屋根）
８４Ｂ    第６支持体（支持体）
８６Ａ    第７屋根（屋根）
８６Ｂ    第７支持体（支持体）
８８      ローラ（横方向移動機構、空間可変手段）
９０      建物
９２      屋根構造物
１１０    建物
１１２    屋根構造物
１１４    屋根
１１６    支持体
１１８    ２階席（観客席）
１２０    １階席（観客席）
１２４    仕切床（仕切部材、空間可変手段）
１３０    観客席
１４０    ２階席（観客席）
【図１】
2015218484.tif 000003
【図２】
2015218484.tif 000004
【図３】
2015218484.tif 000005
【図４】
2015218484.tif 000006
【図５】
2015218484.tif 000007
【図６】
2015218484.tif 000008
【図７】
2015218484.tif 000009
【図８】
2015218484.tif 000010
【図９】
2015218484.tif 000011
【図１０】
2015218484.tif 000012
【図１１】
2015218484.tif 000013
【図１２】
2015218484.tif 000014
【図１３】
2015218484.tif 000015
【図１４】
2015218484.tif 000016
【図１５】
2015218484.tif 000017